【手続補正書】
【提出日】平成18年10月5日(2006.10.5)
【手続補正１】
【補正対象書類名】特許請求の範囲
【補正対象項目名】全文
【補正方法】変更
【補正の内容】
【特許請求の範囲】
【請求項１】
データを記憶するメディアを有するデータ記憶装置であって、
前記メディアからのデータ読み取り及び／もしくは前記メディアへのデータ書き込みを行うヘッドと、
前記ヘッドを保持し、前記ヘッドが所定位置へ移動するように動作するアクチュエータと、
温度を検出する温度検出部と、
前記温度検出部によって検出された検出温度に基づき、前記アクチュエータの動作パワーを制御するアクチュエータ制御部と、を有し、
前記アクチュエータは、
第１の温度区分において第１の動作パワーで駆動され、
前記第１の温度区分よりも高い第２の温度区分において、前記第１の動作パワーよりも小さい第２の動作パワーで駆動され、
前記第２の温度区分よりも高い第３の温度区分において、前記第２の動作パワーよりも大きい第３の動作パワーで駆動される、
データ記憶装置。
【請求項２】
前記アクチュエータ制御部は、前記アクチュエータが退避領域へ移動する処理において、前記温度検出部によって検出された検出温度に基づき、前記アクチュエータの動作パワーを制御する、請求項１に記載のデータ記憶装置。
【請求項３】
前記データ記憶装置は、前記退避領域に形成され、前記アクチュエータが停止するランプをさらに備え、
前記アクチュエータ制御部は、前記アクチュエータが前記退避領域へ移動する処理において、前記アクチュエータが前記ランプ上で停止するように前記アクチュエータの動作パワーを前記検出温度に基づき制御する、
請求項２に記載のデータ記憶装置。
【請求項４】
前記データ記憶装置は、前記アクチュエータが前記退避領域へ移動する処理において、前記アクチュエータが衝突するクラッシュ・ストップをさらに備え、
前記アクチュエータ制御部は、前記クラッシュ・ストップによって跳ね返された前記アクチュエータが前記ランプ上で停止するように、前記アクチュエータの動作パワーを前記検出温度に基づき制御する、
請求項３に記載のデータ記憶装置。
【請求項５】
前記アクチュエータはボイス・コイルを備え、前記ボイス・コイルに電流が流れることによって回動軸を中心に回動し、
前記アクチュエータ制御部は、前記ボイス・コイルへの電流の供給時間を前記検出温度に基づき変化させることによって前記アクチュエータの動作パワーを制御する、
請求項１に記載のデータ記憶装置。
【請求項６】
前記データ記憶装置は、電荷を蓄積するコンデンサを備え、
前記アクチュエータ制御部は、前記コンデンサから前記ボイス・コイルへ供給される電流を制御する、請求項５に記載のデータ記憶装置。
【請求項７】
前記アクチュエータ制御部は、前記データ記憶装置の電源供給が停止した場合に前記アクチュエータが退避領域へ移動するリトラクト処理において、前記温度検出部によって検出された検出温度に基づき、前記アクチュエータの動作パワーを制御する、請求項１に記載のデータ記憶装置。
【請求項８】
前記データ記憶装置は、前記温度検出部によって検出された検出温度に基づき前記ボイス・コイルへの電流の供給期間を制御する制御データを生成する制御データ生成部をさらに、備え
前記アクチュエータ制御部は、カウンタと前記制御データ記憶する記憶部とを備え、前記制御データによって決定されるカウント数と前記カウンタからのカウント信号とに基づき、前記ボイス・コイルへの電流の供給期間を制御する、
請求項５に記載のデータ記憶装置。
【請求項９】
前記制御データは、前記アクチュエータが前記退避領域から前記メディアのデータ記憶領域へ移動する前に生成され、前記アクチュエータ制御部の前記記憶部に記憶される、請求項８に記載のデータ記憶装置。
【請求項１０】
前記アクチュエータは、
前記第３の温度区分よりも高い第４の温度区分において、前記第３の動作パワーよりも小さい第４の動作パワーで駆動される、請求項１に記載のデータ記憶装置。
【請求項１１】
前記データ記憶装置は前記ヘッドの位置を検出するヘッド位置検出部をさらに備え、
前記アクチュエータ制御部は、前記温度検出部によって検出された検出温度と前記ヘッド位置検出部によって検出されたヘッド位置とに基づき、前記アクチュエータの動作パワーを制御する、
請求項１に記載のデータ記憶装置。
【請求項１２】
データを記憶するメディアを有するデータ記憶装置であって、
前記メディアからのデータ読み取り及び／もしくは前記メディアへのデータ書き込みを行うヘッドと、
前記ヘッドを保持し、前記ヘッドが所定位置へ移動するように動作するアクチュエータと、
温度を検出する温度検出部と、
前記温度検出部によって検出された検出温度に基づき、前記アクチュエータの動作パワーを制御するアクチュエータ制御部と、を有し、
前記アクチュエータは、
第１の温度区分において第１の動作パワーで駆動され、
前記第１の温度区分よりも高い第２の温度区分において、前記第２の動作パワーよりも大きい第２の動作パワーで駆動され、
前記第２の温度区分よりも高い第３の温度区分において、前記第２の動作パワーよりも小さい第３の動作パワーで駆動される、
データ記憶装置。
【請求項１３】
データ記憶装置において、ヘッドを保持し前記ヘッドが所定位置へ移動するように動作するアクチュエータを退避位置に移動する、アクチュエータの制御方法であって、
温度を検出し、
検出された温度に基づき、前記アクチュエータの動作パワーを決定し、
決定された動作パワーによって前記アクチュエータが前記退避位置に移動するように、前記アクチュエータを駆動し、
前記アクチュエータは、
第１の温度区分において第１の動作パワーで駆動され、
前記第１の温度区分よりも高い第２の温度区分において、前記第１の動作パワーよりも小さい第２の動作パワーで駆動され、
前記第２の温度区分よりも高い第３の温度区分において、前記第２の動作パワーよりも大きい第３の動作パワーで駆動される、
アクチュエータ制御方法。
【請求項１４】
前記動作パワーの決定は、前記アクチュエータを駆動するための電流供給期間を決定する、請求項１３に記載のアクチュエータ制御方法。
【請求項１５】
さらに、前記データ記憶装置の電源供給が停止していることを検出し、
前記データ記憶装置の電源供給が停止していることが検出されたことに応答して、前記アクチュエータが前記退避位置に移動される、
請求項１３に記載のアクチュエータ制御方法。
【請求項１６】
さらに、前記ヘッドのヘッド位置を検出し、
前記アクチュエータの動作パワーの決定は、検出された温度とヘッド位置とに基づき前記アクチュエータの動作パワーを決定する、
請求項１３に記載のアクチュエータ制御方法。
【請求項１７】
前記アクチュエータの動作パワーの決定は、メモリに記憶されたテーブルを参照することによって、検出された温度に対応する制御データを決定し、
前記アクチュエータの駆動は、
カウンタからカウンタ信号を取得し、
前記制御データを取得し、
前記カウンタ信号と前記制御データに基づき決定された期間、前記アクチュエータを駆動する、
請求項１３に記載のアクチュエータ制御方法。
【請求項１８】
前記アクチュエータは、前記第３の温度区分よりも高い第４の温度区分において、前記第３の動作パワーよりも小さい第４の動作パワーで駆動される、
請求項１３に記載のアクチュエータ制御方法。
【請求項１９】
データを記憶するメディアを有するデータ記憶装置であって、
前記メディアからのデータ読み取り及び／もしくは前記メディアへのデータ書き込みを行うヘッドと、
前記ヘッドを保持し前記ヘッドが所定位置へ移動するように回動するアクチュエータと、
前記アクチュエータが退避するランプと、
前記アクチュエータの回動範囲を規制するクラッシュ・ストップと、
温度を検出する温度検出部と、
前記データ記憶装置の電源供給が停止している場合に、前記アクチュエータを回動し前記クラッシュ・ストップと衝突させることによって、前記アクチュエータを前記ランプへ退避させる処理において、前記アクチュエータが前記ランプ上で停止するように、前記温度検出部によって検出された温度に基づき前記アクチュエータの動作パワーを制御するアクチュエータ制御部と、を有し、
前記アクチュエータは、
第１の温度区分において第１の動作パワーで駆動され、
前記第１の温度区分よりも高い第２の温度区分において、前記第１の動作パワーよりも小さい第２の動作パワーで駆動され、
前記第２の温度区分よりも高い第３の温度区分において、前記第２の動作パワーよりも大きい第３の動作パワーで駆動される、
データ記憶装置。
【請求項２０】
前記アクチュエータは、前記第３の温度区分よりも高い第４の温度区分において、前記第３の動作パワーよりも小さい第４の動作パワーで駆動される、
請求項１９に記載のデータ記憶装置。